(57)【要約】【課題】細長物品の収容する袋で、内容物を落下させるおそれなく容易に引き裂き開封できて、しかも内容物の取出しも容易な包装袋を提供する。【解決手段】少なくとも長手方向の一端が横シールされてなる細長物品Ｂの包装袋Ａにおいて、袋表裏１ａ，１ｂにおける開封助成のためのミシン目状の切目線５を、横シール部３ａにおける一側縁４ａの側に偏った位置から長手方向に延びて、袋長さＬの１／４〜１／２の範囲の位置で一側縁４ａと直角の方向に交差するように連続して形成する。【選択図】図２
2007106474.tif 000002
【特許請求の範囲】
【請求項１】
細長物品を収容し密封する袋で、少なくとも長手方向の一端が横シールされてなる包装袋において、袋表裏における開封助成のためのミシン目状の切目線が、前記一端の横シール部における一側縁の側に偏った位置から長手方向に延びて、袋長さの１／４〜１／２の範囲の位置で前記一側縁と交差するように連続して形成されてなることを特徴とする細長物品の包装袋。
【請求項２】
前記横シール部における前記切目線の始端となる位置が、前記一側縁から袋幅の１／３〜１／６の距離の範囲にある請求項１に記載の細長物品の包装袋。
【請求項３】
前記切目線が、前記横シール部から前記一側縁に沿って直線状に延び、かつその先端側の部分が湾曲状に屈曲して、前記一側縁に交差する位置では該側縁に対し直角方向なしている請求項１または２に記載の細長物品の包装袋。
【請求項４】
前記切目線が、前記横シール部の側からの引き裂きに対し引き裂き方向の補正機能を持つミシン目状をなしている請求項１〜３のいずれか１項に記載の細長物品の包装袋。
【発明の詳細な説明】
【技術分野】
【０００１】
本発明は、医療用シリンジや棒状食品等の細長い物品を収容し包装する細長物品の包装袋に関するものである。
【背景技術】
【０００２】
例えば、予め薬液を充填したプレフィルドシリンジ等の医療用シリンジ、ボールペン等の筆記具、棒状食品その他の比較的細長い物品（以下、本発明では細長物品という）は、主として合成樹脂フィルム製のピロー袋、三方シール袋、四方シール袋、ガセット形態の袋等に収容され密封されている（例えば、特許文献１）。かかる細長物品の包装袋は、その開封を容易にするために、Ｉ形やＶ形のノッチあるいは微細な傷痕が、長手方向の縦シール部あるいは袋長手方向の一端の横シール部に形成されており、該ノッチ等の個所を開封の開始端にして引き裂き開封するようにしていた。
【０００３】
しかしながら、縦シール部から横方向に開封する場合は、袋の全幅を開封（全開封）することになり、また、横シール部から縦方向に開封する場合は、袋長さ（袋長手方向の長さ）の半分以上、あるいは全長に渡って開封するものが普通である。そのため、この開封の際に袋が傾いたり、開封側が下向きになったりすると、内容物である細長物品が袋から抜け出し落下してしまう虞がある。また、合成樹脂フィルム製造時の延伸バランスにより引き裂き方向が歪んだりして大きく開封されることもあり、この場合も、内容物が落下し易くなる。
【０００４】
特に、内容物が医療現場で使用する医療用シリンジ等の滅菌処理された物品である場合には、前記のように落下させると衛生上の問題から使用不可になる。そのため、袋の開封操作に細心の注意を要する。
【０００５】
一方、開封される開口が小さ過ぎると、内容物の落下の虞はない反面、内容物を取出し難くなる。
【特許文献１】特開２０００−６２８４９号公報
【発明の開示】
【発明が解決しようとする課題】
【０００６】
本発明は、上記に鑑みてなしたものであり、医療用シリンジ等の各種の細長物品を収容し密封する包装袋として、内容物を落下させるおそれなく容易に引き裂き開封できて、しかも内容物の取出しも容易な包装袋を提供するものである。
【課題を解決するための手段】
【０００７】
上記の課題を解決する本発明は、細長物品を収容し密封する袋で、少なくとも長手方向の一端が横シールされてなる細長物品の包装袋において、袋表裏における開封助成のためのミシン目状の切目線が、前記一端の横シール部における一側縁の側に偏った位置から長手方向に延びて、袋長さの１／４〜１／２の範囲の位置で前記一側縁と交差するように連続して形成されてなることを特徴とする。
【０００８】
この包装袋によれば、内容物の取り出しの際、前記一端の横シール部のミシン目状の切目線の個所から該切目線に沿って容易に引き裂き開封できる。そして、引き裂き開封された開封口は、袋長手方向の一端側でかつ一側縁の側に偏って袋長さの１／４〜１／２の範囲が開口することになるため、該袋を少々傾けたり、開封側を下に向けたりしても、袋内に収容されている細長物品が容易に落下する虞がない。しかも、該細長物品を前記開封口から指でつまむようにして容易に取り出すことができる。
【０００９】
前記の包装袋において、前記横シール部における前記切目線の始端となる位置は、前記一側縁から袋幅の１／３〜１／６の距離の範囲にあるのが、開封した時の内容物の抜け落ち防止、及び内容物の取り出し易さの両効果を満足する上で特に好適である。
【００１０】
また、前記の包装袋において、前記切目線が、前記横シール部から前記一側縁に沿って直線状に延び、かつその先端側の部分が湾曲状に屈曲して、前記一側縁に交差する位置では該側縁に対し直角方向なしているのが特に好ましい。すなわち、前記のように切目線が湾曲状をなして前記一側縁に対し直角の方向をなしていると、袋表裏の切目線が側縁の部分で略水平になって、かつ丸みをなして連続することになり、そのため、開封口の該側縁の部分においても鋭角のＶ形にならず、該側縁に沿って袋表裏が裂けて大きく開いてしまう虞がなく、想定した長さの開封口を形成できることになる。
【００１１】
また、前記切目線が、前記横シール部側からの引き裂きに対し引き裂き方向の補正機能を持つミシン目状をなしていると、該ミシン目状の切目線に沿って想定した形状に確実に引き裂き開封できる。
【発明の効果】
【００１２】
本発明の細長物品の包装袋によれば、ミシン目状の切目線により想定したラインに沿って容易に引き裂き開封できるばかりか、特に、前記切目線による開封口の位置や形状や大きさを、内容物の取り出しの容易性と落下防止の効果を考慮して設定したことにより、開封時あるいは開封後に内容物を落下させるおそれがなく、しかも内容物の取り出しも容易なものであり、以て医療用シリンジ等の細長物品の包装袋として好適に使用できる。
【発明を実施するための最良の形態】
【００１３】
次に本発明の実施の形態を図面に示す実施例に基づいて説明する。
【００１４】
図１は、本発明の包装袋をピロー袋に適用した場合の実施例を示す包装状態の斜視図、図２は同上の正面説明図、図３及び図４はミシン目状切目線の形成状態の説明図である。
【００１５】
この実施例の包装袋Ａは、主として合成樹脂フィルム等の基材の少なくとも片面にシール層を設けてなる包材により形成されたピロー形の袋体１よりなる。この袋体１は、前記包材の幅方向の両側端部同士を前記シール層を内側にして熱融着等の手段により接合して筒状にし、医療用シリンジ等の細長物品Ｂを収容した状態において、前記接合部２を背部中央に位置させて袋長手方向の両端を横シールしてなるものである。３ａ，３ｂは前記両端の横シール部を示す。この袋体１の縦方向（長手方向）の長さＬ、及び袋幅Ｗは、内容物である細長物品Ｂの長さ、最大径等に応じて少し余裕を持って収容できるように設定される。
【００１６】
そして、前記包装袋Ａにおいて、袋表裏１ａ，１ｂにおける開封助成のためのミシン目状の切目線５が、袋長手方向の一端の横シール部３ａの端縁における一側縁４ａの側、すなわち長辺側の両側縁４ａ，４ｂの一方の側（側縁４ａの側）に偏った所定の位置から、該側縁４ａに沿って袋長手方向に延びて、袋長さの１／４〜１／２の範囲の位置で前記一側縁４ａと交差するように連続して形成されており、該切目線５に沿って開封できるように形成されている。通常、袋表裏１ａ，１ｂの切目線５，５は、表裏で対称同形をなすように形成されている。
【００１７】
前記横シール部３ａの端縁から前記切目線５が前記一側縁４ａと交差する位置ａ１までの長さＬａ、すなわち前記切目線５による開封長さが、袋長さＬの１／４より短いと、開封後に内容物である細長物品Ｂをつまんで取り出すのが容易でなく、また袋長さＬの１／２より長いと、開封状態で前記開封口７の側を下に向けるように傾けたときに、内容物である細長物品Ｂが落下し易くなる。そのため、前記横シール部３ａから前記切目線５が前記一側縁４ａと交差する位置ａ１までの長さＬａは、前記のように袋長さＬの１／４〜１／２の範囲とするのが好ましい。前記の内容物の取り出し易さ及び落下防止の両効果の点からは、前記長さＬａは前記袋長さＬの１／３〜２／５の範囲であるのが、実施上さらに好ましいものとなる。
【００１８】
また、前記横シール部３ａにおける前記切目線５の始端となる位置ａ２については、内容物の径等によっても異なるが、実施上は、前記一側縁４ａから袋幅Ｗの１／３〜１／６のの距離の範囲の位置に設定しておくのがよい。すなわち、前記一側縁４ａから前記始端となる位置ａ２までの距離Ｗａが大きくなると、前記長さＬａが袋長さＬの１／４〜１／２の範囲にあっても、開封状態で前記開封口７の側を下に向けるように傾けたときに、内容物である細長物品Ｂが横シール部３ａに係止することなく滑り落ちるおそれがあり、また、前記距離Ｗａがあまり小さくなると、落下防止の効果は大きくなるが、前記長さＬａが袋長さＬの１／４〜１／２の範囲のものでも、内容物である細長物品Ｂを取り出し難くなる。そのため、前記始端となる位置ａ２を前記袋幅Ｗの１／３〜１／６の距離の範囲に設定しておくのがよく、より好ましくは１／４〜１／６の範囲である。
【００１９】
従って、前記切目線５については、前記横シール部３ａから前記一側縁４ａと交差する位置ａ１までの長さＬａを袋長さＬの１／４〜１／２、より好ましくは１／３〜２／５の範囲とし、前記一側縁４ａから前記始端となる位置ａ２までの距離Ｗａを袋幅Ｗの１／３〜１／６、より好ましくは１／４〜１／６の距離の範囲に設定して実施するのが、内容物の取り出し易さおよび落下防止の両効果をいずれも良好なものとする上では最も好適である。
【００２０】
図の場合、前記切目線５は、前記横シール部３ａから前記一側縁４ａに沿って該側縁４ａに対し略平行あるいは僅かに傾斜して直線状に延び、その先端側の部分５ａが湾曲状に屈曲して前記一側縁４ａと交差する位置では該側縁４ａに対し直角の方向をなすように形成されている。
【００２１】
前記切目線５は、例えば図６のように前記一側縁４ａに対して斜めをなして交差するように設けて実施することも可能ではあるが、実施上は前記のように側縁４ａに対し直角の方向に交差するように設けておくのが好ましい。
【００２２】
すなわち、前記切目線５が、図６のように前記側縁４に対して斜めに交差していると、前記切目線５に沿って開封した状態において（図７）、開封口７の先端つまり側縁４ａの部分で鋭角のＶ形のエッジが生じ、このエッジ部分６から袋表裏１ａ，１ｂが裂けることになって、想定した開封口よりも大きく開いてしまう虞がある。
【００２３】
これに対し、前記切目線５が図３のように先端側の部分５ａが湾曲状をなして前記一側縁４ａと交差する位置で該側縁４ａに対し直角の方向をなしていると、袋表裏１ａ，１ｂの切目線５，５が側縁４ａの部分で略水平になって、かつ丸みをなして連続し、図４のように開封口７の該側縁４ａの部分が丸くなってＶ形のエッジは生じないことになる。そのため、前記側縁４ａに沿って袋表裏１ａ，１ｂが過度に裂けて大きく開く虞がなく、想定した長さ及び大きさの開封口７を形成できる。
【００２４】
前記切目線５の先端側の部分５ａの湾曲の大きさ、すなわち曲率半径は、該切目線５に沿って逸れなく綺麗に引き裂くことができる範囲で任意に設定できる。
【００２５】
なお、前記のミシン目状の切目線５としては、通常の単なる直線状の切目の断続によるもののほか、前記横シール部３ａ側からの引き裂きに対して引き裂き方向の補正機能を有する変形ミシン目状をなす切目線を好適に利用できる。この変形ミシン目状の切目線５としては、例えば、図５の（ａ）ように互いに反対方向に傾斜した二つの切目が逆ハの字状に対をなして断続状に並列するもの、或いは同図の（ｂ）（ｃ）のように略Ｙ字状の切目が断続状に並列するもの、或いは同図の（ｄ）のように互いに反対方向に傾斜した切目が互い違いに並列するもののほか、同図の（ｅ）（ｆ）のように円弧状もしくは略くの字状に屈曲した切目を向かい合わせに形成したもの等、一つの切目からの引き裂き方向の逸れを次の切目で補正できるものであれば、どのような切目形態をなすものであってもよい。これにより、切目線５に沿って所定の形状に確実に引き裂き開封することができる。
【００２６】
また、前記のミシン目状の切目線５は、袋体１を構成する包材のうち基材層にのみ形成して、これに積層されるシール層等の他の層により前記切目を閉塞するように形成しておくのが密封性確保の点から好ましい。
【００２７】
上記した実施例の包装袋Ａによれば、内容物の取り出しの際、前記横シール部３ａのミシン目状の切目線５の個所から該切目線５に沿って容易に引き裂き開封できる。そして、引き裂き開封された開封口７は、袋長手方向の一端、例えば上端側でかつ一側縁４ａの側に偏って袋長さＷの１／４〜１／２の範囲が開口することになるため、該袋を少々傾けたり、開封側を下に向けたりしても、袋内に収容されている細長物品Ｂが容易に落下する虞がない。しかも、該細長物品Ｂを前記開封口７から指でつまむようにして容易に取り出すことができる。
【００２８】
なお、本発明の包装袋Ａは、上記したピロー形の袋に限らず、三方シール袋、四方シール袋、ガセット形態の袋等、細長物品を収容する各種の形態の袋に適用できる。
【産業上の利用可能性】
【００２９】
本発明は、医療用シリンジ、ボールペン等の筆記具、棒状食品その他の比較的細長い物品の包装袋に好適に利用できる。
【図面の簡単な説明】
【００３０】
【図１】本発明の包装袋をピロー袋に適用した場合の実施例を示す包装状態の斜視図である。
【図２】同上の正面説明図である。
【図３】ミシン目状切目線の形成状態の説明図である。
【図４】同上の開封状態の説明図である。
【図５】（ａ）〜（ｆ）のそれぞれ変形ミシン目状の切目線を例示する説明図である。
【図６】ミシン目状切目線を斜めに形成した場合の説明図である。
【図７】同上の開封状態の説明図である。
【符号の説明】
【００３１】
Ａ…包装袋、Ｂ…細長物品、ａ１…切目線が一側縁と交差する位置、ａ２…切目線の始端となる位置、１…袋体、１ａ，１ｂ…袋表裏、２…接合部、３ａ，３ｂ…横シール部、４ａ，４ｂ…両側縁、５…切目線、７…開封口。
【図１】
2007106474.tif 000003
【図２】
2007106474.tif 000004
【図３】
2007106474.tif 000005
【図４】
2007106474.tif 000006
【図５】
2007106474.tif 000007
【図６】
2007106474.tif 000008
【図７】
2007106474.tif 000009